(57)【特許請求の範囲】
【請求項１】
カード型記録媒体が挿入される筐体と、
前記筐体の内部に設けられた基板と、
前記基板上に設けられ、前記カード型記録媒体と前記基板とを対面させて、前記カード型記録媒体の挿入方向の先端部を保持するコネクタと、
保持された前記カード型記録媒体と前記基板との間隙部分に、前記コネクタと対向するように設けられたスペーサと、を備え、
前記コネクタは、前記カード型記録媒体の基板側への移動を規制して、前記カード型記録媒体の挿入を案内する挿入面を有し、
前記スペーサは、前記カード型記録媒体に対面して、前記コネクタへの前記カード型記録媒体の挿入を案内する案内面を有し、
前記スペーサの前記コネクタ側の端部における前記基板から前記案内面までの高さは、前記基板から前記挿入面までの高さよりも低いことを特徴とする電子機器。
【請求項２】
前記スペーサは、前記コネクタ側の端部以外の部分における前記基板から前記案内面までの高さが、前記基板から前記挿入面までの高さと略同じである領域を有することを特徴とする請求項１に記載の電子機器。
【請求項３】
前記スペーサは、前記コネクタ側の端部以外の部分における前記案内面が、前記コネクタ側の端部へ向けて上り斜面となる領域を有することを特徴とする請求項１に記載の電子機器。
【請求項４】
保持された前記カード型記録媒体を覆うカバーをさらに備え、
前記カバーは、前記カード型記録媒体の挿入方向の後端部を位置規制する後端側ストッパを有していることを特徴とする請求項１から３のいずれか１項に記載の電子機器。
【請求項５】
前記スペーサは、
前記筐体に取り付けられた支軸部と、
前記支軸部を中心に、前記カード型記録媒体の挿入を案内する案内位置と、前記カード型記録媒体が保持される固定位置との間で回動する回動部材と、
前記回動部材を前記固定位置に向けて付勢する付勢部材と、を有し、
前記案内面は、前記カード型記録媒体に対面する前記回動部材に設けられ、
前記回動部材が前記固定位置にある場合、前記回動部材の前記コネクタ側の端部における前記基板から前記案内面までの高さは、前記基板から前記挿入面までの高さよりも低いことを特徴とする請求項１に記載の電子機器。
【請求項６】
前記回動部材が前記案内位置にある場合、前記回動部材の前記コネクタ側の端部における前記基板から前記案内面までの高さは、前記基板から前記挿入面までの高さと同じであることを特徴とする請求項５に記載の電子機器。
【請求項７】
前記回動部材は、前記カード型記録媒体の挿入方向の後端部を位置規制する後端側ストッパを有していることを特徴とする請求項５または６に記載の電子機器。
【請求項８】
前記後端側ストッパは、前記回動部材の前記コネクタと反対側の端部における前記案内面から突出するように設けられており、
前記支軸部および前記コネクタと反対側の端部を結ぶ方向と、前記後端側ストッパの突出方向とがなす角度は、鋭角となっていることを特徴とする請求項７に記載の電子機器。
【請求項９】
前記スペーサは、前記基板と係止する係止部をさらに有していることを特徴とする請求項１から４のいずれか１項に記載の電子機器。
【請求項１０】
前記スペーサは、前記案内面のコネクタ側が可撓するように、前記案内面に形成された一対のスリットをさらに有していることを特徴とする請求項１から９のいずれか１項に記載の電子機器。
【請求項１１】
カード型記録媒体が挿入される筐体と、
前記筐体の内部に設けられた基板と、
前記基板上に設けられ、前記カード型記録媒体と前記基板とを対面させて、前記カード型記録媒体の挿入方向の先端部を保持するコネクタと、
保持された前記カード型記録媒体と前記基板との間隙部分に、前記コネクタと対向するように設けられたスペーサと、を備え、
前記スペーサは、前記カード型記録媒体に対面して、前記コネクタへの前記カード型記録媒体の挿入を案内する案内面と、前記案内面のコネクタ側が可撓するように前記案内面に形成された一対のスリットとを有していることを特徴とする電子機器。
【発明の詳細な説明】
【技術分野】
【０００１】
本発明は、カード型記録媒体を挿入可能な電子機器に関する。
【背景技術】
【０００２】
従来、カード型記録媒体を挿入可能な電子機器としては、例えば、特許文献１に開示された携帯電話装置が知られている。この携帯電話装置は、カード型記録媒体としてＳＤメモリーカード（登録商標）が用いられ、ＳＤメモリーカードを装着可能なＳＤメモリーカードコネクタを有している。
【先行技術文献】
【特許文献】
【０００３】
【特許文献１】特開２００４−３２５２７号公報
【発明の概要】
【発明が解決しようとする課題】
【０００４】
ところで、近年、電子部品の小型化に伴い、上記のようなカード型記録媒体を装着するコネクタも小型化されている。小型化されたコネクタとして、カード型記録媒体の挿入方向の先端部、すなわちカード型記録媒体の端子が設けられた一方の端部を把持するコネクタが開発されている。このようなコネクタに装着されたカード型記録媒体は、挿入方向の先端部がコネクタに把持された固定端となり、挿入方向の後端部が自由端となる。このコネクタは、基板上に搭載されており、コネクタにカード型記録媒体を挿入すると、基板とカード型記録媒体とが対面して配置され、基板とカード型記録媒体との間に間隙（空間）が形成される。間隙部分には、この空間を有効に活用すべく、筐体の一部が収容される場合がある。この場合、筐体の一部は、基板に固定されていないため、落下時における衝撃等により、筐体の一部が、カード型記録媒体へ向けて突き当たることが想定される。筐体の一部がカード型記録媒体へ向けて突き当たると、カード型記録媒体のコネクタ側の付け根部分に、大きな負荷が加わる。
【０００５】
しかしながら、カード型記録媒体の一部に大きな負荷が加わってしまうと、カード型記録媒体が変形したり、記録されたデータ等に影響が与えられたりする虞がある。
【０００６】
そこで、本発明は、カード型記録媒体の装着時において、カード型記録媒体に加わる負荷を低減することができる電子機器を提案する。
【課題を解決するための手段】
【０００７】
本発明の電子機器は、カード型記録媒体が挿入される筐体と、筐体の内部に設けられた基板と、基板上に設けられ、カード型記録媒体と基板とを対面させて、カード型記録媒体の挿入方向の先端部を保持するコネクタと、保持されたカード型記録媒体と基板との間隙部分に、コネクタと対向するように設けられたスペーサと、を備え、コネクタは、カード型記録媒体の基板側への移動を規制して、カード型記録媒体の挿入を案内する挿入面を有し、スペーサは、カード型記録媒体に対面して、コネクタへのカード型記録媒体の挿入を案内する案内面を有し、スペーサのコネクタ側の端部における基板から案内面までの高さは、基板から挿入面までの高さよりも低いことを特徴とする。
【０００８】
また、スペーサは、コネクタ側の端部以外の部分における基板から案内面までの高さが、基板から挿入面までの高さと略同じである領域を有することが好ましい。
【０００９】
また、スペーサは、コネクタ側の端部以外の部分における案内面が、コネクタ側の端部へ向けて上り斜面となる領域を有することが好ましい。
【００１０】
また、保持されたカード型記録媒体を覆うカバーをさらに備え、カバーは、カード型記録媒体の挿入方向の後端部を位置規制する後端側ストッパを有していることが好ましい。
【００１１】
また、スペーサは、筐体に取り付けられた支軸部と、支軸部を中心に、カード型記録媒体の挿入を案内する案内位置と、カード型記録媒体が保持される固定位置との間で回動する回動部材と、回動部材を固定位置に向けて付勢する付勢部材と、を有し、案内面は、カード型記録媒体に対面する回動部材に設けられ、回動部材が固定位置にある場合、回動部材のコネクタ側の端部における基板から案内面までの高さは、基板から挿入面までの高さよりも低いことが好ましい。
【００１２】
また、回動部材が案内位置にある場合、回動部材のコネクタ側の端部における基板から案内面までの高さは、基板から挿入面までの高さと同じであることが好ましい。
【００１３】
また、回動部材は、カード型記録媒体の挿入方向の後端部を位置規制する後端側ストッパを有していることが好ましい。
【００１４】
また、後端側ストッパは、回動部材のコネクタと反対側の端部における案内面から突出するように設けられており、支軸部およびコネクタと反対側の端部を結ぶ方向と、後端側ストッパの突出方向とがなす角度は、鋭角となっていることが好ましい。
【００１５】
また、スペーサは、基板と係止する係止部をさらに有していることが好ましい。
【００１６】
また、スペーサは、案内面のコネクタ側が可撓するように、案内面に形成された一対のスリットをさらに有していることが好ましい。
【００１７】
本発明の他の電子機器は、カード型記録媒体が挿入される筐体と、筐体の内部に設けられた基板と、基板上に設けられ、カード型記録媒体と基板とを対面させて、カード型記録媒体の挿入方向の先端部を保持するコネクタと、保持されたカード型記録媒体と基板との間隙部分に、コネクタと対向するように設けられたスペーサと、を備え、スペーサは、基板と係止する係止部を有していることを特徴とする。
【００１８】
本発明の他の電子機器は、カード型記録媒体が挿入される筐体と、筐体の内部に設けられた基板と、基板上に設けられ、カード型記録媒体と基板とを対面させて、カード型記録媒体の挿入方向の先端部を保持するコネクタと、保持されたカード型記録媒体と基板との間隙部分に、コネクタと対向するように設けられたスペーサと、を備え、スペーサは、カード型記録媒体に対面して、コネクタへのカード型記録媒体の挿入を案内する案内面と、案内面のコネクタ側が可撓するように案内面に形成された一対のスリットとを有していることを特徴とする。
【発明の効果】
【００１９】
本発明の電子機器によれば、カード型記録媒体の装着時において、カード型記録媒体に加わる負荷を低減することができる。
【図面の簡単な説明】
【００２０】
【図１】図１は、実施形態１に係る携帯電子機器を示す外観斜視図である。
【図２】図２は、実施形態１に係る携帯電子機器の挿入部周りを幅方向に切った断面図である。
【図３】図３は、実施形態１の変形例１に係る携帯電子機器の挿入部周りを幅方向に切った断面図である。
【図４】図４は、実施形態１の変形例２に係る携帯電子機器の挿入部周りを幅方向に切った断面図である。
【図５】図５は、実施形態２に係る携帯電子機器の挿入部周りを幅方向に切った挿入時の断面図である。
【図６】図６は、実施形態２に係る携帯電子機器の挿入部周りを幅方向に切った装着時の断面図である。
【図７】図７は、実施形態３に係る携帯電子機器の挿入部周りを幅方向に切った断面図である。
【図８】図８は、実施形態４に係る携帯電子機器の一部を示す外観斜視図である。
【図９】図９は、実施形態４に係る携帯電子機器のスペーサの平面図である。
【発明を実施するための形態】
【００２１】
以下、本発明につき図面を参照しつつ詳細に説明する。なお、下記の発明を実施するための形態（以下実施形態という）により本発明が限定されるものではない。また、下記の実施形態における構成要素には、当業者が容易に想定できるもの、実質的に同一のもの、いわゆる均等の範囲のものが含まれる。以下においては、電子機器の一例として、携帯型の電子機器である携帯電話機に適用して説明するが、本発明の適用対象は携帯電話機に限定されるものではない。本発明は、例えば、ＰＨＳ（Personal Handyphone System）、ＰＤＡ、ポータブルナビ、ポータブルゲーム機等の電子機器に適用でき、カード型記録媒体を装着可能な電子機器であれば、いずれであってもよい。
【００２２】
（実施形態１）
図１は、実施形態１に係る携帯電子機器を示す外観斜視図であり、図２は、実施形態１に係る携帯電子機器の挿入部周りを幅方向に切った断面図である。この携帯電子機器１は、カード型記録媒体２を装着可能な携帯電話機である。携帯電子機器１は、筐体１０が第１筐体１０ａと第２筐体１０ｂとで開閉可能に構成された、折り畳み式の携帯電話機である。なお、携帯電子機器１として、例えば、ストレート型の携帯電子機器１や、スライド型やサイクロイド型の携帯電子機器１を適用してもよい。
【００２３】
第１筐体１０ａと第２筐体１０ｂとは、ヒンジ１８で連結されている。これによって、第１筐体１０ａおよび第２筐体１０ｂは、ヒンジ１８を中心としてともに回動して、互いに遠ざかる方向および互いに接近する方向に回動するように構成される。第１筐体１０ａと第２筐体１０ｂとが互いに遠ざかる方向に回動すると携帯電子機器１が開き、第１筐体１０ａと第２筐体１０ｂとが互いに接近する方向に回動すると携帯電子機器１が閉じる。なお、図１は、携帯電子機器１を閉じた状態である。ここで、携帯電子機器１は、その幅方向が、ヒンジ１８の回転軸の軸方向となっており、その長さ方向が、ヒンジ１８側の端部とヒンジ１８と反対側の端部とを結ぶ方向となっており、その厚さ方向が、幅方向および長さ方向に直交する方向となっている。
【００２４】
第１筐体１０ａには、カード型記録媒体２が挿入される挿入部２０が設けられている。挿入部２０に挿入されるカード型記録媒体（以下、記録媒体２という）２は、方形板状のカード型の筐体にＩＣチップ等が埋め込まれたものであり、このような記録媒体２として、例えば、ＳＤメモリーカード（登録商標）やＵＩＭカード等がある。記録媒体２は、挿入部２０に対して、第１筐体１０ａの幅方向に挿入される。このため、記録媒体２の挿入方向は幅方向となる。記録媒体２は、その長手方向が挿入方向となっており、その短手方向が挿入方向に直交する直交方向となっている。
【００２５】
第１筐体１０ａの挿入部２０には、挿入部カバー２５が装着可能となっている。挿入部カバー２５は、記録媒体２の脱落を防ぐべく、挿入部２０に挿入されて装着された記録媒体２を覆うように設けられている。挿入部２０に装着された挿入部カバー２５は、第１筐体１０ａと面一となる。
【００２６】
図２を参照して、第１筐体１０ａの挿入部２０周りの構成について説明する。図２に示すように、第１筐体１０ａの挿入部２０周りの内部には、回路基板２７が配置されている。挿入部２０は、回路基板２７上に配置されたコネクタ３１と、コネクタ３１と幅方向（挿入方向）において対向するスペーサ３２とを備えている。また、挿入部２０は、コネクタ３１を挟んで回路基板２７の反対側に設けられた第１筐体１０ａの被覆部３５を有し、被覆部３５は、コネクタ３１を覆うように設けられている。
【００２７】
挿入部２０に挿入される記録媒体２には、その挿入方向の先端部において端子が設けられている。記録媒体２は、端子が設けられた端子面２ａを厚さ方向の下側にして挿入部２０に挿入される。また、記録媒体２の先端部は、厚さ方向の下側縁部２ｂが面取りされている。
【００２８】
コネクタ３１には、記録媒体２の挿入方向の先端部が挿入される。コネクタ３１は、挿入される記録媒体２と回路基板２７とが対面するように、記録媒体２の挿入方向の先端部を保持する。コネクタ３１は、回路基板２７と接続されるコネクタ本体４１と、コネクタ本体４１を挟んで回路基板２７の反対側に設けられたコネクタカバー４２と、コネクタ本体４１とコネクタカバー４２との間に設けられたコネクタ端子４３とを有している。
【００２９】
コネクタ本体４１は、長方体形状に構成されており、挿入された記録媒体２と対向する面、すなわち厚さ方向の上面が挿入面４１ａとなっている。コネクタ本体４１は、その挿入面４１ａが、記録媒体２の回路基板２７側への移動を規制しており、記録媒体２の挿入を案内している。
【００３０】
コネクタカバー４２は、コネクタ本体４１の挿入面４１ａを覆うように設けられている。コネクタカバー４２は、挿入方向において記録媒体２の先端部の位置を規制する先端側ストッパ４５を有している。先端側ストッパ４５は、記録媒体２の先端部が突き当てられることで、記録媒体２の挿入方向における位置を規制する。
【００３１】
コネクタ端子４３は、導電性の金属で構成され、一端がコネクタ本体４１の挿入面４１ａに接続される一方で、他端が自由端となっている。このため、コネクタ端子４３は、コネクタカバー４２側へ付勢するバネ性を有する。
【００３２】
よって、コネクタ端子４３は、記録媒体２がコネクタ本体４１とコネクトカバー４２との間に挿入されると、記録媒体２の先端部に押圧されて撓むことにより、記録媒体２の挿入を許容する。一方で、コネクタ端子４３は、先端側ストッパ４５により位置規制された挿入後（装着後）の記録媒体２に対し、コネクタカバー４２側へ付勢することで、記録媒体２の端子面２ａに接触し、記録媒体２の先端部を挟み込んで保持する。
【００３３】
スペーサ３２は、保持された記録媒体２と回路基板２７との間の間隙部分Ｄに設けられ、第１筐体１０ａに連なって一体に設けられている。スペーサ３２は、回路基板２７に対し自由状態となっている。
【００３４】
スペーサ３２は、コネクタ３１側の端部が、すなわち挿入方向の先端部が、コネクタ３１に保持された記録媒体２の付け根部分２ｃまで達している。スペーサ３２は、記録媒体２と対向する面が案内面３２ａとなっており、記録媒体２は、案内面３２ａに沿ってコネクタ３１へ向けて案内される。
【００３５】
スペーサ３２の先端部は、回路基板２７から案内面３２ａまでの高さＨ１が、回路基板２７からコネクタ本体４１の挿入面４１ａまでの高さＨ２に比して低くなる領域を有するように面取りされる。つまり、スペーサ３２の先端部における案内面３２ａは、挿入方向の先端側（コネクタ３１側）へ向けて下り斜面となる第１傾斜面４７となっている。ここで、スペーサ３２の第１傾斜面４７は、挿入方向において、スペーサ３２の先端面から、記録媒体２の挿入方向における長さの１／４〜１／３程度までの領域に設けられている。このため、記録媒体２の付け根部分２ｃには、記録媒体２とコネクタ３１とスペーサ３２とにより囲まれた、緩衝空間（バッファスペース）５０が形成される。
【００３６】
スペーサ３２は、コネクタ３１と反対側の端部が、すなわち挿入方向の後端部が、第１筐体１０ａに連なっている。スペーサ３１の先端部以外は、回路基板２７から案内面３２ａまでの高さＨ３が、回路基板２７からコネクタ本体４１の挿入面４１ａまでの高さＨ２と同じとなる領域を有している。つまり、スペーサ３２の先端部以外の案内面３２ａは、回路基板２７と平行な平坦面４８となっている。このため、スペーサ３２の先端部における回路基板２７から案内面３２ａまでの高さＨ１は、スペーサ３１の先端部以外における回路基板２７から案内面３２ａまでの高さＨ３よりも低くなっている。
【００３７】
上記のように形成された第１筐体１０ａの挿入部２０に対して、記録媒体２を第１筐体１０ａの幅方向に挿入すると、記録媒体２は、スペーサ３２の案内面３２ａである平坦面４８に案内されながら、その先端部がコネクタ３１へ向けて導入される。コネクタ３１に導入された記録媒体２は、その先端部が、コネクタ本体４１の挿入面４１ａに案内されて、コネクタ本体４１とコネクタカバー４２との間に挿入される。このとき、記録媒体２の先端部の下側縁部２ｂは、面取りされているため、記録媒体２は、コネクタ３１へ円滑に挿入される。この後、記録媒体２は、その先端部をコネクタ端子４３に接触させ、コネクタ端子４３を撓ませて、先端側ストッパ４５に突き当てることで、記録媒体２の挿入が完了する。そして、記録媒体２の装着後、記録媒体２の付け根部分２ｃには、緩衝空間５０が形成される。
【００３８】
以上により、実施形態１の構成によれば、スペーサ３２は、その先端部の高さＨ１が、コネクタ３１の挿入面４１ａの高さＨ２に比して低くなるため、記録媒体２の付け根部分２ｃに緩衝空間５０を設けることができる。このため、落下等の衝撃によりスペーサ３２が記録媒体２側へ移動しても、応力が集中する付け根部分２ｃには、緩衝空間５０が形成されるため、スペーサ３２の先端部が、記録媒体２の付け根部分２ｃに突き当たり難くなる。これにより、実施形態１の携帯電子機器１は、記録媒体２の付け根部分２ｃに加わる負荷を低減することができるため、記録媒体２が変形したり、記録媒体２に記録されたデータ等に影響を与えたりすることを抑制することができる。
【００３９】
また、スペーサ３２は、その先端部以外の案内面３２ａとコネクタ本体４１の挿入面４１ａとを同じ高さにすることで、記録媒体２をコネクタ３１へ向けて円滑に案内することができる。
【００４０】
なお、実施形態１では、スペーサ３２の先端部以外の案内面３２ａを、コネクタ本体４１の挿入面４１ａと同じ高さの平坦面４８としたが、図３の変形例１に示す構成としてもよい。図３は、実施形態１の変形例１に係る携帯電子機器の挿入部周りを幅方向に切った断面図である。変形例１のスペーサ３２は、その先端部以外の案内面３２ａが、挿入方向の先端側（コネクタ３１側）に向けて上り斜面となる第２傾斜面５１に形成されている。この第２傾斜面５１を形成することで、スペーサ３２の先端部の第１傾斜面４７は、実施形態１に比して挿入方向の長さおよび厚み方向の高さを小さくすることができる。なお、コネクタカバー４２の上方にある第１筐体１０ａの被覆部３５は、その下側縁部３５ａが面取りされている。
【００４１】
よって、第１筐体１０ａの挿入部２０に対し記録媒体２を幅方向に挿入すると、記録媒体２は、スペーサ３２の案内面３２ａである第２傾斜面５１に案内されながら、その先端部がコネクタ３１へ向けて導入される。コネクタ３１に導入された記録媒体２は、その先端部が、コネクタ本体４１とコネクタカバー４２との間に挿入される。このとき、記録媒体２の先端部の下側縁部２ｂは面取りされ、また、第１筐体１０ａの被覆部３５の下側縁部３５ａも面取りされているため、記録媒体２は、コネクタ３１へ円滑に挿入される。この後、記録媒体２は、その先端部をコネクタ端子４３に接触させ、コネクタ端子４３を撓ませて、先端側ストッパ４５に突き当てることで、記録媒体２の挿入が完了する。そして、記録媒体２の装着後、記録媒体２の付け根部分２ｃには、緩衝空間５０が形成される。
【００４２】
実施形態１の変形例１の構成によれば、第２傾斜面５１を設けることで第１傾斜面４７を小さくすることができる。このため、スペーサ３２の先端部近傍に記録媒体２が押し付けられながら挿入される場合であっても、記録媒体２をコネクタ３１へ向けて好適に挿入することができる。また、第１筐体１０ａの被覆部３５の下側縁部３５ａを面取り形成しているため、記録媒体２をコネクタ３１へ円滑に案内することができる。
【００４３】
また、実施形態１の携帯電子機器１に、図４の変形例２に示す構成を、さらに加えてもよい。図４は、実施形態１の変形例２に係る携帯電子機器の挿入部周りを幅方向に切った断面図である。変形例２では、挿入部カバー２５に、記録媒体２の後端部を位置規制する後端側ストッパ５５が設けられている。この後端側ストッパ５５は、挿入部カバー２５の内面から突出して設けられており、後端側ストッパ５５の装着時において、記録媒体２の後端部の外側に位置するように設けられる。この場合、スペーサ３２には、後端側ストッパ５５と対向する部分に、後端側ストッパ５５の突出を許容する受け溝５６が形成されている。
【００４４】
実施形態１の変形例２の構成によれば、後端側ストッパ５５は、記録媒体２の後端部を位置規制することができる。このため、後端側ストッパ５５は、落下等の衝撃により記録媒体２がコネクタ３１から脱落することを抑制することができる。
【００４５】
（実施形態２）
図５および図６を参照して、実施形態２に係る携帯電子機器６０について説明する。なお、重複した記載を避けるべく、異なる部分についてのみ説明する。図５は、実施形態２に係る携帯電子機器の挿入部周りを幅方向に切った挿入時の断面図であり、図６は、実施形態２に係る携帯電子機器の挿入部周りを幅方向に切った装着時の断面図である。実施形態１の携帯電子機器１では、スペーサ３２が第１筐体１０ａに連なって一体に設けられていた。実施形態２の携帯電子機器６０では、スペーサ３２が回動可能な構成となっている。以下、実施形態２の携帯電子機器６０について具体的に説明する。
【００４６】
図５に示すように、携帯電子機器６０の第１筐体１０ａの挿入部２０は、回路基板２７上に配置されたコネクタ３１と、コネクタ３１と幅方向（挿入方向）において対向するスペーサ６５とを備えている。コネクタ３１を挟んで回路基板２７の反対側には、コネクタ３１を覆う第１筐体１０ａの被覆部３５が設けられている。被覆部３５は、その下側縁部３５ａが面取りされている。
【００４７】
スペーサ６５は、第１筐体１０ａに取り付けられた支軸部６６と、支軸部６６を中心に回動する回動部材６７と、回動部材６７を付勢する付勢部材６８と、回動部材６７と回路基板２７との間に設けられた介在部材６９とを有している。
【００４８】
支軸部６６は、回動部材６７の回動軸となっており、コネクタ３１に挿入される記録媒体２の直下に位置している。支軸部６６を中心に回動する回動部材６７は、記録媒体２の挿入時に位置する案内位置Ｌ１と、記録媒体２の装着時に位置する固定位置Ｌ２との間で回動する。回動部材６７は、支軸部６６を中心に、挿入方向の両端部（先端部および後端部）を回路基板２７側へ曲げて形成されている。回動部材６７は、挿入方向の先端部が、コネクタ３１に保持された記録媒体２の付け根部分２ｃまで達している。回動部材６７は、記録媒体２と対向する面が案内面６７ａとなっており、記録媒体２は、案内面６７ａに沿ってコネクタ３１へ向けて案内される。
【００４９】
図５に示すように、回動部材６７の挿入方向の先端部は、回動部材６７が案内位置Ｌ１にある場合、回路基板２７から案内面６７ａまでの高さＨ４が、回路基板２７からコネクタ本体４１の挿入面４１ａまでの高さＨ２と同じ高さとなるように設けられる。一方で、回動部材６７の挿入方向の後端部は、回動部材６７が案内位置Ｌ１にある場合、回路基板２７から案内面６７ａまでの高さＨ５が、回路基板２７からコネクタ本体４１の挿入面４１ａまでの高さＨ２に比して低くなるように設けられる。
【００５０】
図６に示すように、回動部材６７の挿入方向の先端部は、回動部材６７が固定位置Ｌ２にある場合、回路基板２７から案内面６７ａまでの高さＨ４が、回路基板２７からコネクタ本体４１の挿入面４１ａまでの高さＨ２に比して低くなるように設けられる。このため、記録媒体２の付け根部分２ｃには、記録媒体２とコネクタ３１と回動部材６７とにより囲まれた、緩衝空間（バッファスペース）７５が形成される。一方で、回動部材６７の挿入方向の後端部は、回動部材６７が固定位置Ｌ２にある場合、回路基板２７から案内面６７ａまでの高さＨ５が、回路基板２７からコネクタ本体４１の挿入面４１ａまでの高さＨ２と同じ高さとなるように設けられる。
【００５１】
回動部材６７の挿入方向の後端部には、記録媒体２の後端部を位置規制する後端側ストッパ７２が、案内面６７ａから上方へ向けて突出するように設けられている。後端側ストッパ７２は、記録媒体２側の面に、記録媒体２に突き当てられる規制面７２ａを有している。このとき、回動部材６７の後端部から支軸部６６へ延在する延在方向と、後端側ストッパ７２の突出方向とがなす角度は、鋭角となっている。換言すれば、回動部材６７の後端部における案内面６７ａと、後端側ストッパ７２の規制面７２ａとがなす角度は、鋭角となっている。
【００５２】
付勢部材６８は、コイルバネや板バネ等を用いて構成され、回動部材６７を固定位置Ｌ２側へ付勢している。このため、回動部材６７は、固定位置Ｌ２が定常位置となっている。一方で、回動部材６７は、付勢部材６８の付勢力に抗して押圧されることで、案内位置Ｌ１へ移動する。
【００５３】
介在部材６９は、挿入方向の後端部が、第１筐体１０ａに連なっている。介在部材６９は、回動部材６７の回動動作を許容するように、回動部材６７に対し一定の隙間を設けて形成されている。
【００５４】
上記のように形成されたスペーサ６５に対し記録媒体２を幅方向に挿入すると、記録媒体２は、付勢部材６８の付勢力に抗して回動部材６７を押圧して、回動部材６７を案内位置Ｌ１に移動させる。この状態において、記録媒体２は、その先端部が、回動部材６７の先端部の案内面６７ａに案内されながら、コネクタ３１へ向けて挿入される。コネクタ３１に挿入された記録媒体２は、その先端部が、コネクタ本体４１の挿入面４１ａに案内されて、コネクタ本体４１とコネクタカバー４２との間に挿入される。この後、記録媒体２は、その先端部をコネクタ端子４３に接触させ、コネクタ端子４３を撓ませて、先端側ストッパ４５に突き当てることで、記録媒体２の挿入が完了する。記録媒体２の挿入完了に相前後して、回動部材６７は、付勢部材６８の付勢力によって固定位置Ｌ２へ移動する。回動部材６７が固定位置Ｌ２へ移動すると、記録媒体２の付け根部分２ｃには、緩衝空間７５が形成される。
【００５５】
以上により、実施形態２の構成においても、回動部材６７が固定位置Ｌ２にある場合、回動部材６７は、その先端部の高さＨ４が、コネクタ３１の挿入面４１ａの高さＨ２に比して低くなるため、記録媒体２の付け根部分２ｃに緩衝空間７５を設けることができる。このため、落下等の衝撃によりスペーサ６５が記録媒体２側へ移動しても、応力が集中する付け根部分２ｃには、緩衝空間７５が形成されるため、回動部材６７の先端部が、記録媒体２の付け根部分２ｃに突き当たり難くなる。これにより、実施形態２の携帯電子機器６０は、記録媒体２の付け根部分２ｃに加わる負荷を低減することができるため、記録媒体２が変形したり、記録媒体２に記録されたデータ等に影響を与えたりすることを抑制することができる。
【００５６】
また、回動部材６７が案内位置Ｌ１にある場合、回動部材６７は、その先端部の高さＨ４が、コネクタ３１の挿入面４１ａの高さＨ２と同じであるため、記録媒体２をコネクタ３１へ向けて円滑に案内することができる。
【００５７】
また、後端側ストッパ７２は、記録媒体２の後端部を位置規制することができる。このため、後端側ストッパ７２は、落下等の衝撃により記録媒体２がコネクタ３１から脱落することを抑制することができる。
【００５８】
また、回動部材６７の後端部の延在方向と、後端側ストッパ７２の突出方向とがなす角度は鋭角となっているため、記録媒体２が後端側ストッパ７２の規制面７２ａに突き当たった場合、回動部材６７は、案内位置Ｌ１から固定位置Ｌ２へ向かう方向に力が加わる。このため、記録媒体２が規制面７２ａに突き当たっても、回動部材６７は、案内位置Ｌ１へ移動し難くなるため、後端側ストッパ７２は、記録媒体２の脱落を抑制することができる。
【００５９】
（実施形態３）
図７を参照して、実施形態３に係る携帯電子機器８０について説明する。なお、この場合も、重複した記載を避けるべく、異なる部分についてのみ説明する。図７は、実施形態３に係る携帯電子機器の挿入部周りを幅方向に切った断面図である。実施形態１の携帯電子機器１では、スペーサ３２が回路基板２７に対し自由状態となっていた。実施形態３の携帯電子機器８０では、スペーサ８５が回路基板２７に係止された構成となっている。以下、実施形態３の携帯電子機器８０について具体的に説明する。
【００６０】
図７に示すように、携帯電子機器８０の第１筐体１０ａの挿入部２０は、回路基板２７上に配置されたコネクタ３１と、コネクタ３１と幅方向（挿入方向）において対向するスペーサ８５とを備えている。
【００６１】
スペーサ８５は、保持された記録媒体２と回路基板２７との間の間隙部分Ｄに設けられ、第１筐体１０ａに連なって一体に設けられている。スペーサ８５は、挿入方向の先端部が、コネクタ３１に保持された記録媒体２の付け根部分２ｃまで達している。スペーサ８５は、記録媒体２と対向する面が案内面８５ａとなっており、記録媒体２は、案内面８５ａに沿ってコネクタ３１へ向けて案内される。
【００６２】
スペーサ８５は、回路基板２７から案内面８５ａまでの高さＨ６が回路基板２７からコネクタ本体４１の挿入面４１ａまでの高さＨ２と同じ高さとなっている。このため、スペーサ８５の案内面８５ａは平坦面となっている。
【００６３】
スペーサ８５の先端部における回路基板２７には、厚さ方向に貫通する係止孔８８が設けられている。また、スペーサ８５には、その先端部の回路基板２７側に、コネクタ３１側へ突出する係止爪（係止部）８５ｂが形成されている。このため、スペーサ８５の係止爪８５ｂが、回路基板２７の係止孔８８を通って、回路基板２７のコネクタ３１が設けられた面とは反対側の面に当接することで、スペーサ８５は回路基板２７に係止される。このとき、係止爪８５ｂは、その先端部８５ｃが、幅方向（挿入方向）においてコネクタ本体４１とオーバーラップしている。
【００６４】
以上により、実施形態３の構成によれば、スペーサ８５は、その先端部が、係止爪８５ｂにより、係止孔８８を介して回路基板２７に係止される。このため、落下等の衝撃を受けても、スペーサ８５は、記録媒体２側へ移動し難くなるため、スペーサ８５の先端部が、記録媒体２の付け根部分２ｃに突き当たり難くなる。これにより、実施形態３の携帯電子機器８０は、記録媒体２の付け根部分２ｃに加わる負荷を低減することができるため、記録媒体２が変形したり、記録媒体２に記録されたデータ等に影響を与えたりすることを抑制することができる。
【００６５】
（実施形態４）
図８および図９を参照して、実施形態４に係る携帯電子機器９０について説明する。なお、この場合も、重複した記載を避けるべく、異なる部分についてのみ説明する。図８は、実施形態４に係る携帯電子機器の挿入部周りを幅方向に切った断面図であり、図９は、実施形態４に係る携帯電子機器のスペーサの平面図である。実施形態１の携帯電子機器１では、コネクタ３１に装着された記録媒体２がスペーサ３２に対向している。実施形態４の携帯電子機器９０では、コネクタ３１に装着された記録媒体２が、一対のスリット９５が形成されたスペーサ９３に対向している。以下、実施形態４の携帯電子機器９０について具体的に説明する。
【００６６】
図８に示すように、携帯電子機器９０の第１筐体１０ａの挿入部２０は、回路基板２７上に配置されたコネクタ３１と、コネクタ３１と幅方向（挿入方向）において対向するスペーサ９３とを備えている。
【００６７】
スペーサ９３は、記録媒体２と対向する面が案内面９３ａとなっており、回路基板２７から案内面９３ａまでの高さが回路基板２７からコネクタ本体４１の挿入面４１ａまでの高さＨ２と同じ高さとなっている。この案内面９３ａには、一対のスリット９５が形成されている。一対のスリット９５は、案内面９３ａのコネクタ側が可撓するように設けられている。つまり、各スリット９５は、スペーサ９３の先端部から後端部にかけて延在するように形成されているため、スペーサ９３の先端部における案内面９３ａは、自由状態となっており、スペーサ９３の後端部における案内面９３ａは、固定状態となっている。そして、一対のスリット９５の間における長さは、記録媒体２の短手方向における長さと同じ長さとなっている。
【００６８】
以上により、実施形態４の構成によれば、スペーサ９３は、その先端部における案内面９３ａが、一対のスリット９５を形成することにより可撓性を有することとなる。このため、落下等の衝撃により、スペーサ９３の先端部における案内面９３ａが記録媒体２側へ移動しても、案内面９３ａは可撓性を有するために、記録媒体２の付け根部分２ｃに対する突き当たりが軽減される。これにより、実施形態４の携帯電子機器９０は、記録媒体２の付け根部分２ｃに加わる負荷を低減することができるため、記録媒体２が変形したり、記録媒体２に記録されたデータ等に影響を与えたりすることを抑制することができる。
【００６９】
なお、上記した実施形態１から４に係る携帯電子機器１，６０，８０，９０を適宜組み合わせて構成してもよく、例えば、実施形態１の携帯電子機器１の構成に、実施形態３および４の携帯電子機器８０，９０の構成を追加してもよい。
【産業上の利用可能性】
【００７０】
以上のように、本発明に係る電子機器は、カード型記録媒体を装着する携帯電子機器において有用であり、特に、カード型記録媒体と回路基板との間にスペーサを設ける場合に適している。
【符号の説明】
【００７１】
１      携帯電子機器
２      カード型記録媒体
１０    筐体
１０ａ  第１筐体
１０ｂ  第２筐体
１８    ヒンジ
２０    挿入部
２５    挿入部カバー
２７    回路基板
３１    コネクタ
３２    スペーサ
３２ａ  案内面
４１    コネクタ本体
４１ａ  挿入面
４２    コネクタカバー
４３    コネクタ端子
４５    先端側ストッパ
５０    緩衝空間
５１    第２傾斜面（変形例１）
５５    後端側ストッパ（変形例２）
６０    携帯電子機器（実施形態２）
６５    スペーサ（実施形態２）
６６    支軸部
６７    回動部材
６７ａ  案内面
６８    付勢部材
７２    後端側ストッパ（実施形態２）
７２ａ  規制面
７５    緩衝空間（実施形態２）
８０    携帯電子機器（実施形態３）
８５    スペーサ（実施形態３）
８５ａ  案内面
８５ｂ  係止爪
８５ｃ  先端部
８８    係止孔
９０    携帯電子機器（実施形態４）
９３    スペーサ（実施形態４）
９３ａ  案内面
９５    スリット
Ｄ      間隙部分
Ｈ１〜Ｈ６    高さ
Ｌ１    案内位置
Ｌ２    固定位置
【図１】
0005554655.tif 000002
【図２】
0005554655.tif 000003
【図３】
0005554655.tif 000004
【図４】
0005554655.tif 000005
【図５】
0005554655.tif 000006
【図６】
0005554655.tif 000007
【図７】
0005554655.tif 000008
【図８】
0005554655.tif 000009
【図９】
0005554655.tif 000010